(57)【要約】【課題】異常発生箇所の状況把握を迅速且つ的確に行う。【解決手段】監視カメラユニット１０を、監視領域の全方位画像が映し出される凸型のマジックミラー１５と、全方位画像を撮影する第１カメラ１４と、光学ズーム機能を有し、特定方向の画像を撮影する第２カメラ１６とから構成する。第１カメラ１４で撮影した画像データを画像処理装置１１に送信して、画像処理および画像データの保存を行い、モニタ１２に全方位画像を表示する。異常が発生した場合は、画像データの上書き保存を中止して、異常発生時前後の画像データを保存する。第１カメラ１４の全方位画像から異常が発生した箇所を特定し、第２カメラ１６の撮影方向を異常発生箇所に合わせ、光学ズーム機能を用いて異常発生箇所の詳細な画像を撮影する。モニタ１２の表示を第２カメラ１６からの画像に切り替え、異常発生箇所の状況を把握する。【選択図】　　　　図１
2004135182.tif 000002
【特許請求の範囲】
【請求項１】
監視領域の全方位画像が映し出される凸型のマジックミラーと、前記全方位画像を撮影する第１のカメラと、光学ズーム機能を有し、特定方向の画像を撮影する第２のカメラとからなることを特徴とする監視カメラ。
【請求項２】
監視領域に異常が発生した場合に、前記第１のカメラの全方位画像から異常が発生した箇所を特定し、前記第２のカメラに異常発生箇所の撮影を行わせる制御手段を備えたことを特徴とする監視カメラシステム。
【発明の詳細な説明】
【０００１】
【発明の属する技術分野】
本発明は、迅速に異常に対処することができる監視カメラおよび監視カメラシステムに関する。
【０００２】
【従来の技術】
現在、監視カメラは、金融機関、コンビニエンスストアなどに設置される防犯を目的としたものだけでなく、老人介護などの福祉目的にも広く利用されている。このような利用目的の多様化に伴い、より広範囲にわたる領域をカバーすることができる監視カメラが求められている。
【０００３】
上記の要求に対して、凸型ミラーを用いて周囲３６０°の画像を撮影する全方位監視カメラシステムが提案されている（非特許文献１参照）。このシステムでは、凸型ミラーに映し出された監視領域の全方位画像を一台のＣＣＤカメラで撮影し、この撮影画像に画像処理を施すことで、全方位画像を展開したパノラマ画像や、特定部分を拡大した部分画像を得ることができる。
【０００４】
【非特許文献１】
シャープ株式会社、”ニュースリリース”、２００１年９月１９日、インターネット＜ＵＲＬ；ｈｔｔｐ：／／ｗｗｗ．ｓｈａｒｐ．ｃｏ．ｊｐ／ｃｏｒｐｏｒａｔｅ／ｎｅｗｓ／０１０９１９−２．ｈｔｍｌ＞
【０００５】
【発明が解決しようとする課題】
しかしながら、非特許文献１に記載される監視カメラシステムでは、部分画像の拡大が画像処理レベルで行われるため、異常が発生した箇所が全体の画像よりも小さい場合には、異常発生箇所の確認・特定が困難であった。
【０００６】
本発明は、異常発生箇所の状況把握を迅速且つ的確に行うことができる監視カメラおよび監視カメラシステムを提供することを目的とする。
【０００７】
【課題を解決するための手段】
上記目的を達成するために、本発明の監視カメラは、監視領域の全方位画像が映し出される凸型のマジックミラーと、前記全方位画像を撮影する第１のカメラと、光学ズーム機能を有し、特定方向の画像を撮影する第２のカメラとからなることを特徴とする。
【０００８】
また、本発明の監視カメラシステムは、監視領域に異常が発生した場合に、前記第１のカメラの全方位画像から異常が発生した箇所を特定し、前記第２のカメラに異常発生箇所の撮影を行わせる制御手段を備えたことを特徴とする。
【０００９】
【発明の実施の形態】
図１において、監視カメラシステム２は、監視カメラユニット１０、画像処理装置１１、およびモニタ１２から構成される。監視カメラユニット１０は、透明カバー１３、第１カメラ１４、マジックミラー１５、第２カメラ１６、および台座１７からなる。監視カメラユニット１０は、台座１７により監視領域の天井や壁に取り付けられる。
【００１０】
第１カメラ１４はＣＣＤカメラからなり、凸型の透明カバー１３に設けられた取り付け穴１３ａに固定されている。第１カメラ１４は、凸型のマジックミラー１５の外側の面に映し出された監視領域の全方位画像を撮影する。この第１カメラ１４は、画像処理装置１１に接続されており、撮影した画像データを画像処理装置１１に逐次送信する。
【００１１】
第２カメラ１６は、光学ズーム機能を有するＣＣＤカメラからなり、上下左右に首振り自在となっている。この第２カメラ１６は、マジックミラー１５および透明カバー１３を介して、第１カメラ１４の全方位画像から選択された監視領域の特定方向の画像を撮影する。
【００１２】
画像処理装置１１は、第１カメラ１４から送信される画像データを、図示しない内部メモリに保存するとともに、全方位画像の歪みを補正してパノラマ画像に展開する画像処理を施す。画像処理装置１１では、一定時間経過毎に画像データを随時上書き保存し、異常発生時には上書き保存を中止して異常発生時前後の画像データを保存する。このようにすると、内部メモリの記憶容量を無駄に使用することがない。
【００１３】
モニタ１２は、画像処理装置１１で展開されたパノラマ画像や、第１カメラ１４で撮影された全方位画像、第２カメラ１６で撮影された特定方向の画像を切り替えて表示する。
【００１４】
次に、上記構成による作用について、図２のフローチャートを参照して説明する。まず、監視カメラユニット１０を監視領域の天井などに設置し、第１カメラ１４で監視領域の全方位画像を撮影する。撮影した画像データを画像処理装置１１に送信して、画像処理および画像データの保存を行い、モニタ１２に全方位画像を表示する。異常が発生していない場合は、画像データを一定時間経過毎に上書き保存する。
【００１５】
異常が発生した場合は、画像データの上書き保存を中止して、異常発生時前後の画像データを保存する。第１カメラ１４の全方位画像から異常が発生した箇所を特定し、第２カメラ１６の撮影方向を異常発生箇所に合わせ、光学ズーム機能を用いて異常発生箇所の詳細な画像を撮影する。このとき、モニタ１２の表示を第２カメラ１６からの画像に切り替える。このようにすると、異常発生箇所の状況を迅速且つ確実に把握し、適切な対処を施すことができる。
【００１６】
ここで、第２カメラ１６の撮影方向を異常発生箇所に合わせる方法としては、第１カメラ１４からの全方位画像またはパノラマ画像から、モニタ１２の監視者が異常発生箇所を特定し、第２カメラ１６を遠隔操作してもよいし、画像処理装置１１で周知のパターン認識技術を用いて異常発生箇所を自動的に特定し、第２カメラ１６を作動させてもよい。
【００１７】
あるいは、第１カメラ１４にマイクを内蔵させ、このマイクで集音される監視領域の音声から異常発生箇所を特定してもよい。このようにすると、画像処理を施さずに異常発生箇所を特定することができ、状況把握・対処がさらに迅速になる。また、この場合、異常発生時にマイクから警告を報知したり、監視領域の音声を画像データとともに記録することもできる。
【００１８】
【発明の効果】
以上のように、本発明の監視カメラおよび監視カメラシステムによれば、監視領域の全方位画像が映し出される凸型のマジックミラーと、前記全方位画像を撮影する第１のカメラと、光学ズーム機能を有し、特定方向の画像を撮影する第２のカメラとからなり、監視領域に異常が発生した場合に、第１のカメラの全方位画像から異常が発生した箇所を特定し、第２のカメラに異常発生箇所の撮影を行わせるので、異常発生箇所の状況把握を迅速且つ的確に行うことができる。
【図面の簡単な説明】
【図１】監視カメラシステムの概略図である。
【図２】監視カメラシステムの動作手順を示すフローチャートである。
【符号の説明】
２　監視カメラシステム
１０　監視カメラユニット
１１　画像処理装置
１２　モニタ
１４　第１カメラ
１５　マジックミラー
１６　第２カメラ
【図１】
2004135182.tif 000003
【図２】
2004135182.tif 000004